(57)【特許請求の範囲】
【請求項１】
床に設置されるフロアキャビネットと、前記フロアキャビネットの上に設けられるキッチンカウンターと、前記キッチンカウンターに設けられるシンクと、を備え、
前記フロアキャビネットには、前記シンクの前方の部分における前記キッチンカウンターの前縁部の下端部と近接する位置にコンセント部が設けられ、
前記キッチンカウンターには、その前縁部における前記コンセント部の上方に位置する一の部分から、前記前縁部の他の部分よりも前方に突出する庇部が設けられることを特徴とする厨房装置。
【請求項２】
前記庇部には、その下端部から下方に突出する水切り部が設けられ、
前記水切り部および前記庇部の突出先端部は、コードにプラグが取付けられた電源コードを前記コンセント部に差し込んだときにおける、プラグのコード側端よりも前方に位置するように配置されることを特徴とする請求項１に記載の厨房装置。
【請求項３】
前記コンセント部の電気接続部の前面は、下端から上端に行く程前側に位置するように傾斜することを特徴とする請求項１または請求項２に記載の厨房装置。
【発明の詳細な説明】
【技術分野】
【０００１】
本発明は、厨房装置に関する。より詳細には、フロアキャビネットにコンセント部が設けられた厨房装置に関する。
【背景技術】
【０００２】
従来、フロアキャビネットと、フロアキャビネットの上に取付けられるキッチンカウンターと、キッチンカウンターに設けられるシンクと、を備えた厨房装置が知られている（例えば特許文献１参照）。
【先行技術文献】
【特許文献】
【０００３】
【特許文献１】特開２０１３−２１５４７０号公報
【発明の概要】
【発明が解決しようとする課題】
【０００４】
特許文献１に記載されている厨房装置では、キッチンカウンターの後端部に設けられたバックガードにコンセント部が設置されている。ユーザーがそのコンセント部に電源コードを接続しようとするとき、コンセント部がキッチンカウンターの奥にあるので、ユーザーが手を伸ばしたり体を乗り出したりする必要があり、使い勝手がよくない。
【０００５】
このとき、ユーザーが電源コードをコンセント部に差込み易いように、厨房装置の前面部に設置することが考えられる。その前面部の中でも、高温になり難いシンクの前方の部分におけるフロアキャビネットの上端部に、コンセント部が設けられることが考えられる。
【０００６】
しかし、その場合、ユーザーがシンクで水仕事を行うと、コンセント部に水が付いてしまう虞があった。
【０００７】
本発明は上記従来の問題点に鑑みて発明したものであって、その目的とするところは、コンセント部の防水性を向上させた、厨房装置を提供することを課題とするものである。
【課題を解決するための手段】
【０００８】
上記課題を解決するために、本発明は、以下のような構成とする。
【０００９】
床に設置されるフロアキャビネットと、前記フロアキャビネットの上に設けられるキッチンカウンターと、前記キッチンカウンターに設けられるシンクと、を備え、前記フロアキャビネットには、前記シンクの前方の部分における前記キッチンカウンターの前縁部の下端部と近接する位置にコンセント部が設けられ、前記キッチンカウンターには、その前縁部における前記コンセント部の上方に位置する一の部分から、前記前縁部の他の部分よりも前方に突出する庇部が設けられることを特徴とする。
【発明の効果】
【００１０】
本発明の厨房装置では、コンセント部の上方に庇部が設けられるので、シンクで使用した水が、コンセント部に付き難くなり、コンセント部の防水性を向上させることができる。
【図面の簡単な説明】
【００１１】
【図１】図１は本実施形態の厨房装置の斜視図である。
【図２】図２Ａは本実施形態の厨房装置のコンセント部付近の正面図であり、図２Ｂは本実施形態の厨房装置のコンセント部付近の平面図である。
【図３】図３は本実施形態の厨房装置のコンセント部付近の拡大断面図である。
【図４】図４は本実施形態の厨房装置のコンセント部付近の他例を示した拡大断面図である。
【発明を実施するための形態】
【００１２】
以下、本発明の実施形態について添付した図面に基づいて説明する。
【００１３】
厨房装置１は、図１に示すように、床に設置されるフロアキャビネット１１と、フロアキャビネット１１の上に取付けられるキッチンカウンター２と、を備える。
【００１４】
ここで、本実施形態において、キッチンカウンター２からユーザーが立つ側に向かう方向を前方向Ｆ、その反対方向を後方向Ｂとする。また、厨房装置１に向かってユーザーが正面に立った状態の右側を右方向Ｒ、左側を左方向Ｌとする。
【００１５】
キッチンカウンター２は、カウンター本体２１と、バックガード１２と、シンク２２と、カウンター本体２１の前端部から下方に突出して設けられる前垂れ部２３と、を備える。
【００１６】
カウンター本体２１は、図１に示すように、左右方向を長手方向とし、前後方向を短手方向とする。カウンター本体２１は、略水平に形成される。カウンター本体２１の上面（以下、カウンター面２１１）は、平坦面となる。
【００１７】
前垂れ部２３は、左右方向を長手方向とし、上下方向を短手方向とする。前垂れ部２３の短手方向は鉛直方向に平行である。ここで、前垂れ部２３は、キッチンカウンター２の前縁部を構成する。さらに、前垂れ部２３は、フロアキャビネット１１の前端よりも前方に位置する。
【００１８】
本実施形態のカウンター本体２１において、長さ方向の一方側（左側）には加熱調理器１３が設置される。そして、カウンター本体２１において、長さ方向の他方側（右側）にはシンク２２が設けられる。
【００１９】
加熱調理器１３として、電磁調理器（ＩＨ調理器）が用いられてもよいし、ガスコンロが用いられてもよい。また加熱調理器１３は、ビルトイン型の加熱調理器であってもよいし、テーブルコンロ等の載置型の加熱調理器であってもよい。
【００２０】
シンク２２は、カウンター面２１１から下方に凹んで設けられる平面視矩形状の槽である。そして、シンク２２は、図示しないスパウト部から吐出される湯または水を受ける。
【００２１】
ここで、カウンター面２１１のうち、加熱調理器１３とシンク２２と間の領域には、調理作業（特に食材を切る）をするための作業領域２４が形成される。
【００２２】
フロアキャビネット１１は、内部に収納空間を有し、その収納空間に例えばキッチン用品が収納される。また、フロアキャビネット１１は、前方と上方に開口を有する平面視矩形状のキャビネット本体３を有する。
【００２３】
キャビネット本体３は、底板部３１と、底板部３１の後側端部に設けられる後板部３２と、底板部３１の右側端部に設けられる右板部３３と、底板部３１の左側端部に設けられる左板部３４と、を有する。ここで、右板部３３の下端部における前端部は後方に凹んでおり、その部分を右側凹部３３１とする。同様に、左板部３４の下端部における前端部は後方に凹んでおり、その部分を左側凹部３４１とする。
【００２４】
右側凹部３３１と左側凹部３４１とには、蹴り板３５が架け渡される。蹴り板３５は、キャビネット本体３の前方の開口における下端部の部分に設けられる。ここで、キャビネット本体３の前方の開口において、蹴り板３５より上方の部分を設置開口（図示せず）とする。
【００２５】
キャビネット本体３には、食器洗浄機３６が内蔵される。食器洗浄機３６は、キャビネット本体３の設置開口における左右方向の中央部に設置される。このため、キャビネット本体３の設置開口は、食器洗浄機３６により、左側開口（図示せず）、右側開口（図示せず）に分割される。
【００２６】
また、キャビネット本体３において、左側開口および右側開口の上部には、前垂れ部２３の下端から下方に一定の間隔をあけて固定板部４０が設けられる。そして、キャビネット本体３において、左側開口および右側開口の固定板部４０の下側には、開閉部４１が設けられる。
【００２７】
開閉部４１は、本実施形態では、キャビネット本体３内に引き出し自在な収納体によって構成される。開閉部４１は、左側開口に設けられる左側収納体４１１、右側開口に設けられる右側収納体４１２、の２つで構成される。なお、開閉部４１は、開き戸によって構成されてもよい。
【００２８】
固定板部４０は、左側開口に設けられる左側板４０１、右側開口に設けられる右側板４０２、により構成される。それぞれの左側板４０１と右側板４０２とは、図１に示すように、正面視矩形状をしている。また、それぞれの左側板４０１と右側板４０２とは、左右方向を長手方向とし、上下方向を短手方向とする。
【００２９】
また、固定板部４０は、前垂れ部２３の下端から下方に一定の間隔をおいて配置されている。そのため、前垂れ部２３の下端と固定板部４０との間には、隙間３７が形成される。そして、その隙間３７には、本実施形態では、コンセント部５と飾り板４２が設置される。
【００３０】
コンセント部５は、図１，図２Ａに示すように、シンク２２の前方における、前垂れ部２３の下方部分にある隙間３７に設けられる。このとき、コンセント部５は、前垂れ部２３の下端部に近接する。特に本実施形態のコンセント部５は、図２Ａ，図２Ｂに示すように、シンク２２の前方部分における、作業領域２４側端部の前垂れ部２３の下端部に近接して配置される。言い換えると、コンセント部５は、シンク２２の前方部分における、フロアキャビネット１１の上端部に配置され、特に本実施形態では、作業領域２４とシンク２２の境界部分に配置される。
【００３１】
コンセント部５は、図２Ａ，図３に示すように、電源コード６の栓刃６２１が挿入可能な電気接続部５１と、電気接続部５１が設置される筐体５１１と、を備える。電気接続部５１は、電源コード６が電気的に接続されると、電源コード６に電力を供給する。ここで、本実施形態の電源コード６は、コード６１、コード６１に取付けられるプラグ６２、により構成される。そして、プラグ６２は、コンセント部５に差し込まれる栓刃６２１を有する。
【００３２】
電気接続部５１の前面には、図２Ａに示すように、電源コード６の栓刃６２１が挿入される挿入口５１２が設けられる。挿入口５１２は、左右方向に複数（本実施形態では２つ）並設されている。
【００３３】
ここで、本実施形態の電気接続部５１の前面は、図３に示すように、下端から上端に行く程前側に位置するように傾斜して設けられる。なお、電気接続部５１の前面は、図４に示すように、上下方向に平行に設けられてもよい。
【００３４】
なお、電気接続部５１の前面が、図３に示すように傾斜している場合、平面視におけるプラグ６２のコンセント部５の前面から延出される長さが、図４に示すように電気接続部５１の前面が上下方向と平行なときよりも短くすることができる。
【００３５】
また、庇部２５をコンセント部５の上方に設けた厨房装置１においてコンセント部５の前面が傾斜していると、ユーザーがコンセント部５に電源コード６を差し込む際に、庇部２５にユーザーの手が当たり難くなる。
【００３６】
筐体５１１は、右側板４０２と前垂れ部２３との間の隙間３７に収容可能な大きさに形成される。筐体５１１には、電気接続部５１の挿入口５１２が露出した状態で、電気接続部５１が収容される。筐体５１１には、本実施形態では、図２Ａに示すように、電気接続部５１が２個収容されているが、その収容される数は限定されない。
【００３７】
また、コンセント部５は取付け板５２を介して、フロアキャビネット１１に取り付けられる。取付け板５２は、図３に示すように、前垂れ部２３の後方に設けられた固定座２１２と、固定板部４０と、に螺子等の固着具を介して固定される。
【００３８】
そして、取付け板５２には、図３に示すように、コンセント部５を挿入して固定するための取付開口５２１が形成される。取付開口５２１は、取付け板５２を前後方向に貫通する。取付開口５２１は、筐体５１１の後部が挿入できる大きさに形成される。取付開口５２１に挿入されたコンセント部５は、その周縁部が図示しない固着具により取付け板５２に固定される。
【００３９】
飾り板４２は、図１，図２Ａに示すように、隙間３７におけるコンセント部５以外の部分に設けられる。このとき、飾り板４２は、コンセント部５に隣接して配置される。飾り板４２とコンセント部５とは、同一直線状に配置される。飾り板４２は、コンセント部５より右側の右側装飾部４２１と、コンセント部５より左側の左側装飾部４２２と、から構成される。
【００４０】
キッチンカウンター２には、図２Ａ，図２Ｂに示すように、その前縁部におけるコンセント部５の上方に位置する部分に庇部２５が設けられる。庇部２５は、カウンター本体２１の前端から前方に突出して設けられる。ここで、庇部２５は、コンセント部５にシンク２２からの水が付かないようにするために設けられる。
【００４１】
本実施形態の庇部２５は、図２Ａに示すように平面視略矩形状となっているが、円弧状であってもよく、その形状は限定されない。
【００４２】
本実施形態の庇部２５では、図２Ａ，図２Ｂに示すように、その左右方向の長さがコンセント部５の左右方向の長さに合わせて設けられる。なお、庇部２５の左右方向の長さは、コンセント部５の左右方向の長さ以上に長く形成されることが好ましい。
【００４３】
また、庇部２５では、その突出先端の位置がコンセント部５の前端位置より前方に位置するように、前後方向の長さが決められる。
【００４４】
ここで、コンセント部５に電源コード６を差し込んだ際、コンセント部５の前端よりも前方にプラグ６２が突出することになる。そのため、本実施形態の庇部２５は、図３に示すように、その先端部が、電源コード６をコンセント部５に差し込んだときにおける、プラグ６２のコード６１側端よりも前方に位置するように設けられる。
【００４５】
このように、庇部２５は、コンセント部５における前垂れ部２３の前端よりも前方に突出した部分とプラグ６２とを、上方から覆うことができる広さを有する。そのため、本実施形態のコンセント部５とプラグ６２は、平面視において、図２Ｂに示すように、庇部２５に遮蔽される。
【００４６】
また、庇部２５の上下方向の長さは、本実施形態では、図３に示すように、前垂れ部２３の上下方向の長さと略等しく設けられる。なお、庇部２５の上下方向の長さは、前垂れ部２３の上下方向の長さよりも短く設けられてもよいが、庇部２５にユーザーが凭れかかったとき、庇部２５が変形しない程度の厚みは必要となる。
【００４７】
上記したように庇部２５が設けられることで、コンセント部５やプラグ６２に水がかかり難くなるだけでなく、ユーザーが庇部２５に凭れかかったとしても、プラグ６２に体が当たり難いので、プラグ６２に負荷がかかることを抑制できる。なお、本実施形態の庇部２５の突出長さは、約３２ｍｍであるが、その長さは限定されるものではない。
【００４８】
本実施形態の庇部２５には、図３に示すように、その下端部から下方に突出する水切り部２５１が設けられる。水切り部２５１は、庇部２５の全面を伝ってきた水が庇部２５の下面に回り込み、コンセント部５およびプラグ６２の方へ落ちないようにするために設けられる。
【００４９】
本実施形態の水切り部２５１は、図３に示すように、略三角形状であるが、その形状は限定されない。そして、本実施形態の水切り部２５１は、図３に示すように、電源コード６をコンセント部５に差し込んだときにおける、プラグ６２のコード６１側端よりも前方に位置するように設けられる。
【００５０】
このように、庇部２５に水切り部２５１が設けられたことで、コンセント部５およびプラグ６２に水がかかり難くなる。なお、水切り部２５１は、庇部２５の下端部における前端部だけでなく、左端部および右端部に設けられてもよい。
【００５１】
上記した構成の厨房装置１では、コンセント部５の上方に庇部２５が設けられるので、シンク２２で使用した水が、コンセント部５にかかり難くなり、コンセント部５の防水性を向上させることができる。このとき、コンセント部５は厨房装置１の前面部に設けられるので、ユーザーがコンセント部５にプラグ６２を差し込み易い。
【００５２】
本実施形態の厨房装置１は以下の構成を備える。
【００５３】
厨房装置１は、床に設置されるフロアキャビネット１１と、フロアキャビネット１１の上に設けられるキッチンカウンター２と、キッチンカウンター２に設けられるシンク２２と、を備える。フロアキャビネット１１には、シンク２２の前方の部分におけるキッチンカウンター２の前縁部の下端部と近接する位置にコンセント部５が設けられる。キッチンカウンター２には、その前縁部におけるコンセント部５の上方に位置する部分から前方に突出する庇部２５が設けられることを特徴とする。
【００５４】
これにより、シンク２２で使用した水が、コンセント部５に付き難くなるので、コンセント部５の防水性を向上させることができる。
【００５５】
また、庇部２５には、その下端部から下方に突出する水切り部２５１が設けられる。水切り部２５１および庇部２５の突出先端部は、コード６１にプラグ６２が取付けられた電源コード６をコンセント部５に差し込んだときにおける、プラグ６２のコード６１側端よりも前方に位置するように配置されることが好ましい。
【００５６】
これにより、庇部２５の側面を伝ってきた水が、庇部２５の下面に回り込むことを防止できる。
【００５７】
また、コンセント部５の電気接続部５１の前面は、下端から上端に行く程前側に位置するように傾斜することが好ましい。
【００５８】
これにより、ユーザーがコンセント部５に電源コード６を差し込む際に、庇部２５にユーザーの手が当たり難くなる。
【符号の説明】
【００５９】
１    厨房装置
１１  フロアキャビネット
２    キッチンカウンター
２１  カウンター本体
２２  シンク
２３  前垂れ部
２５  庇部
２５１  水切り部
５    コンセント部
５１  電気接続部
５１２  挿入口
６    電源コード
６１  コード
６２  プラグ
６２１  栓刃
【図１】
0006528312.tif 000002
【図２】
0006528312.tif 000003
【図３】
0006528312.tif 000004
【図４】
0006528312.tif 000005